(57)【要約】【課題】基地局と移動局から構成されるデジタル無線システムにおいて、移動局の位置情報を基地局へ通知する方法として、通信チャネルのデータ伝送機能を利用した場合、通常の通話で使用可能な回線数が減ってしまい、他の移動局が通話が出来ないことがある。また、移動局が多数存在する場合、各移動局からの位置情報を収集するまでに時間がかかる。【解決手段】移動局の位置情報を基地局へ通知する方法として、通信可能地域を地図上で複数の領域に分割し、それぞれの領域に与えられた識別子を位置情報テーブルとして基地局、移動局それぞれに持ち、識別子を移動局の位置情報として制御チャネルを使用して送信する。【選択図】  図１
2004282193.tif 000002
【特許請求の範囲】
【請求項１】
基地局と、該基地局と通信チャネルおよび制御チャネルを介して通信する移動局と、該移動局の位置情報を発生する手段とからなり、
前記基地局および前記移動局は、地図上の複数の領域それぞれに対応する識別コードが付与された位置情報テーブルを有し、前記移動局は、前記位置情報発生手段からの位置情報に基づいて、前記移動局が有する位置情報テーブルから前記移動局が位置する領域に対応した識別コードを求め、前記移動局は、前記識別コードを前記制御チャネルを介して前記基地局に送信し、前記基地局は、前記基地局が有する位置情報テーブルに基づいて前記移動局の位置を検出することを特徴とするデジタル無線システム。
【請求項２】
請求項１記載のデジタル無線システムにおいて、上記地図上の複数の領域は、異なる大きさに分割されていることを特徴とするデジタル無線システム。
【発明の詳細な説明】
【０００１】
【発明の属する技術分野】
本発明は、基地局と移動局から構成されるデジタル無線システムに関し、特に、移動局の位置情報を基地局へ通知する手段を有するデジタル無線システムに関するものである。
【０００２】
【従来の技術】
基地局と複数の移動局から構成されたデジタル無線システムは、基地局と移動局間、あるいは移動局間同士で音声やデータの通信を行う。このようなデジタル無線システムでは一般に、基地局と移動局間の通信は、通信チャネルと制御チャネルの２種類のチャネルで行われる。通信チャネルは通話やデータ伝送などに使用され、制御チャネルは無線回線の接続制御などに使用される。通信チャネルと制御チャネルを区別する方法としては、例えば、ＦＤＭＡ（Ｆｒｅｑｕｅｎｃｙ  Ｄｉｖｉｓｉｏｎ  Ｍｕｌｔｉｐｌｅ  Ａｃｃｅｓｓ：周波数分割多元接続）方式では、制御チャネルと通信チャネルとに異なる周波数を割り当てることにより区別する。また、ＴＤＭＡ（Ｔｉｍｅ  Ｄｉｖｉｓｉｏｎ  Ｍｕｌｔｉｐｌｅ  Ａｃｃｅｓｓ：時分割多元接続）方式では、同一周波数をスロットと呼ばれる単位に時分割し、そのスロット毎に制御チャネルと通信チャネルとを割り当てることにより区別する。
【０００３】
ＦＤＭＡ方式における通信チャネルと制御チャネルの周波数使用例を図５、６に示す。図５は基地局８−移動局９間の複信通信の場合で、周波数Ｆ１およびｆ１が基地局８→移動局９方向の通信チャネルおよび制御チャネルとして、また、周波数Ｆ２およびｆ２が移動局９→基地局８方向の通信チャネルおよび制御チャネルとして、それぞれ使用される。図６は移動局９−移動局１０間の複信通信の場合で、周波数Ｆ１およびｆ１が基地局８→移動局９方向の通信チャネルおよび制御チャネルとして、周波数Ｆ２およびｆ２が移動局９→基地局８方向の通信チャネルおよび制御チャネルとして、それぞれ使用される。また、周波数Ｆ３およびｆ３が基地局８→移動局１０方向の通信チャネルおよび制御チャネルとして、周波数Ｆ４およびｆ４が移動局１０→基地局８方向の通信チャネルおよび制御チャネルとして、それぞれ使用される。
【０００４】
図７に移動局と基地局が通信チャネルを使用して、通話またはデータ伝送を開始するまでの発信シーケンスの一例を示す。図７中、破線は制御チャネルを示し、実線は通信チャネルを示す。以下に、図５に示すＦＤＭＡを用いた基地局８と移動局９の間の複信通信の場合における、通話開始までの発信シーケンスについて簡単に説明する。
【０００５】
移動局９は制御チャネルｆ２を使用して、基地局８に対し発信要求を送信する。基地局８はその応答として、発信要求応答を制御チャネルｆ１で移動局９に送信し、制御チャネルｆ１とｆ２の同期確立後、制御チャネルｆ１を使用して切り換えるべき通信チャネルの周波数を移動局に通知する。その後、制御チャネルから通信チャネルへと移行し、通信チャネルＦ１とＦ２の同期確立、呼出、応答、応答確認を行い通信状態となる。
【０００６】
通信チャネルを使用して通話やデータ伝送している間、制御チャネルは回線制御の他、データ等を伝送する目的で利用することができる。
【０００７】
なお、上記デジタル無線システムの日本における標準仕様は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）（例えば非特許文献１参照）で定められている。
【０００８】
ところで、基地局は通話中の各移動局が通信可能領域の何処に居るのかを把握する目的で、各移動局にＧＰＳ（Ｇｌｏｂａｌ  Ｐｏｓｉｔｉｏｎｉｎｇ  Ｓｙｓｔｅｍ）を装備し、得られた位置情報を基地局へ送信する。ＧＰＳからの位置情報は、通常、緯度・経度などのデータとして出力されるため、移動局の位置情報は、データ通信に使用される通信チャネルを利用して基地局へ通知するのが一般的である。
【０００９】
【非特許文献１】
ＡＲＩＢ  ＳＴＤ−Ｔ６１、狭帯域デジタル通信方式（ＳＣＰＣ／ＦＤＭＡ）標準規格、平成１１年５月２７日策定、発行元：社団法人  電波産業会
【００１０】
【発明が解決しようとする課題】
前述のように、通信チャネルのデータ伝送機能を使用して各移動局の位置情報を基地局に送信すると、通話で使用する通信チャネルを使用することになってしまう。このため、通常の通話で使用可能な回線数が減ってしまい、他の移動局が通話出来なくなることがある。また、移動局が多数存在する場合、基地局が全ての移動局に対して位置情報を要求し応答を待つため、全移動局の位置情報を収集するまでに時間がかかるといった問題がある。
【００１１】
本発明は、この問題を解決するために、移動局の位置情報を簡略化し、簡略化された位置情報を制御チャネルを使用して基地局へ伝送することにより、通信チャネルを圧迫せず、また、短かい送信時間で位置情報を基地局へ通知することができるデジタル無線システムを提供することを目的とする。
【００１２】
【課題を解決するための手段】
上記目的を達成するため、本発明のデジタル無線システムは、基地局と、基地局と通信チャネルおよび制御チャネルを介して通信する移動局と、移動局の位置情報を発生する手段とからなり、基地局および移動局は、地図上の複数の領域それぞれに対応する識別コードが付与された位置情報テーブルを有し、移動局は、位置情報発生手段からの位置情報に基づいて、移動局が有する位置情報テーブルから移動局が位置する領域に対応した識別コードを求め、移動局は、識別コードを制御チャネルを介して基地局に送信し、基地局は、基地局が有する位置情報テーブルに基づいて移動局の位置を検出することを特徴とする。
【００１３】
更に、上記地図上の複数の領域は、異なる大きさに分割されていることを特徴とする。
【００１４】
【発明の実施の形態】
図１に本発明におけるデジタル無線システムの概略構成図を示す。図１において、各移動局２〜４には、それぞれにＧＰＳ５〜７からの位置情報、即ち、緯度・経度が入力される。また、基地局１と各移動局２〜４は、地図データを緯度・経度を基に複数の領域に分割し、それぞれの領域に識別コード（以下、ゾーンコードと称する）を付与した共通の位置情報テーブル１−１〜４−１を持っている。図２に位置情報テーブルの第一の例を示す。この図は、位置情報テーブルと地図データとの関連も表している。位置情報テーブルは、図２に示すように、無線通信を行う地図データを、緯度座標（ａ１〜ａ５）および経度座標（ｂ１〜ｂ５）に基づき複数の領域に分割し、それぞれの領域にゾーンコード（００〜３２）を付与した構成になっている。ゾーンコードは図２の場合、十の位を緯度方向、一の位を経度方向と関連付けしており、このためゾーンコードが二桁となっている。ゾーンコードが二桁程度で済むので、ゾーンコードを無線システムで伝送する場合は、例えば、制御チャネルのＵＰＣＨ（Ｕｓｅｒ  Ｐａｃｋｅｔ  Ｃｈａｎｎｅｌ）などを利用して簡単に送信することができる。
【００１５】
図３に本発明におけるデジタル無線システムの位置情報通知方法の一実施例の各ステップ１０１〜１０４を示す。以下、移動局２が基地局１へ位置情報を通知する方法の動作について，図１、２を基に説明する。なお、移動局３、４についても移動局２と同様であるので、説明を省略する。
【００１６】
まず、移動局２はＧＰＳ５が通知する位置情報（緯度・経度）を取得する（ステップ１０１）。例えば、移動局２が図２の点線で示される緯度Ａ２、経度Ｂ２の位置に存在していた場合、緯度としてＡ２を、経度としてＢ２を取得する。
【００１７】
次に、移動局２は取得した位置情報（緯度・経度）を基に位置情報テーブル２−１を参照しゾーンコードを取得する（ステップ１０２）。例えば、図２に示すように、位置情報が緯度Ａ２、経度Ｂ２であった場合、緯度Ａ２は緯度ａ２とａ３の間、経度Ｂ２は経度ｂ３とｂ４の間であるので、図１の位置情報テーブル２−１からゾーンコード２２を取得する。
【００１８】
次に、新たに得られたゾーンコードが前回送信したゾーンコードから変化した場合は、新たなゾーンコードを基地局１へ制御チャネルを使用して送信する（ステップ１０４）。例えば、移動局がゾーンコード３２の領域からゾーンコード２２の領域へ移動した場合は、ゾーンコード２２を基地局１へ送信する。
【００１９】
前回の通知時に取得したゾーンコードと、今回取得したゾーンコードが同じである場合は、移動局は同じ領域に存在していると思われるので、特に位置情報を通知する必要はないが、移動局が停止するなどして同じ領域内に留まっているのか、移動局が通信不能になったのか、などの判断がし難くなるので、前回通知時から一定時間、例えば数分経過していたら、移動局が存在するゾーンコードを定期的に基地局へ送ってもよい。
【００２０】
このように基地局１は、各移動局２，３，４と常に上記のような位置情報の通知を行う。
【００２１】
基地局１は移動局２からのゾーンコードを受信すると、ゾーンコードに対応する地図上の領域を位置情報テーブルから検索し、移動局２が該当する領域に存在していることを記録する。上記の例の場合は、ゾーンコード２２の領域に移動局２が存在することを記録し、必要に応じて表示などを行う。
【００２２】
次に、位置情報テーブルの第二の例を図４に示す。ゾーンコードが示す各領域は、図２の例のように均等に分割される必要はなく、図４に示すように、詳細な情報が必要な場所、例えば建物の密集地は細かく、そうではない過疎地では粗く分割することも可能である。
【００２３】
尚、全ての領域に位置情報テーブルの番号をゾーンコードとして割り付けた後、位置情報テーブルの番号が残っている場合は、残った位置情報テーブルの番号は別の機能、例えばショートメッセージの伝送機能として使用することも可能である。
【００２４】
また、移動局の詳細な位置情報（緯度・経度）を知りたい場合は、従来の通信チャネルを利用した方法を使用し、必要に応じて本発明の方法と併用して位置情報を得ることも可能である。
【００２５】
【発明の効果】
移動局の位置情報を基地局へ通知する方法として、無線制御に使用される制御チャネルを利用しているため、通話チャネルを圧迫せず、通話回線数に影響を与えることがない。
【００２６】
また、制御チャネルによるデータ送信は、基地局と移動局間の通信シーケンスが送信要求と応答の２回と少ないため、位置情報送信時間を短縮することができる。
更に、各移動局のタイミングで位置情報を通知するため、位置情報を収集する時間を短くできる。
【００２７】
更に、位置情報テーブルとして、建物の密集地では領域を細かく、過疎地では領域を粗く設定することで、情報を無駄なく利用できる。
【図面の簡単な説明】
【図１】本発明におけるデジタル無線システムの概略図。
【図２】本発明における位置情報テーブルの第一の例。
【図３】本発明における位置情報通知方法のフローチャート。
【図４】本発明における位置情報テーブルの第二の例。
【図５】基地局−移動局間複信通信の概要を示す図。
【図６】移動局−移動局間複信通信の概要を示す図。
【図７】移動局から基地局へ通信チャネル確立の発信シーケンス。
【符号の説明】１：基地局、１−１：基地局の位置情報テーブル、２〜４：移動局、２−１〜４−１：移動局の位置情報テーブル、５〜７：ＧＰＳ、８：基地局、９、１０：移動局。
【図１】
2004282193.tif 000003
【図２】
2004282193.tif 000004
【図３】
2004282193.tif 000005
【図４】
2004282193.tif 000006
【図５】
2004282193.tif 000007
【図６】
2004282193.tif 000008
【図７】
2004282193.tif 000009